(57)【要約】      （修正有）【課題】導電金具における発熱をばらつきなく確実に温度検出器で検出できるようにした端子台を提供する。【解決手段】絶縁性の基台１２と、基台１２に固定される複数の導電金具１６と、温度を検出する温度ヒューズ３０（温度検出器）とを有する端子台１０において、基台１２は、隣接する導電金具１６間にこれらを絶縁するリブが設けられ、リブに温度検出器を個別に収容可能な収容溝１７が形成される構成とする。この構成によれば、接続不良等によって通電時に導電金具１６で発熱が生じると、当該導電金具１６に隣接するリブに設けられた収容溝１７に収容される温度ヒューズ３０によって発熱が確実に検出される。【選択図】図２
0003172681.tif 000002
【実用新案登録請求の範囲】
【請求項１】
絶縁性の基台と、前記基台に固定される複数の導電金具と、温度を検出する温度検出器とを有する端子台において、
前記基台は、隣接する前記導電金具間にこれらを絶縁するリブが設けられ、
前記リブに前記温度検出器を個別に収容可能な収容溝が形成されたことを特徴とする端子台。
【請求項２】
前記収容溝は、前記温度検出器の本体においてリードが設けられるリード面を除いて、前記温度検出器本体の全面が当該収容溝の内壁に面接触又は面近接するように形成されたことを特徴とする請求項１に記載の端子台。
【請求項３】
前記収容溝の内壁と前記収容溝に収容される前記温度検出器本体との隙間が０．３〜０．５ｍｍであることを特徴とする請求項２に記載の端子台。
【請求項４】
複数の前記収容溝が直線状に配列されて形成され、
前記温度検出器は、複数の前記収容溝に一つおきに収容されたことを特徴とする請求項１乃至３のいずれか一項に記載の端子台。
【請求項５】
複数の前記収容溝のうちで二以上の前記収容溝にそれぞれ前記温度検出器を収容する場合には、二以上の前記温度検出器を直列接続することを特徴とする請求項１乃至４のいずれか一項に記載の端子台。
【請求項６】
前記温度検出器は、所定温度に達すると通電を遮断する温度ヒューズであることを特徴とする請求項１乃至５のいずれか一項に記載の端子台。
【請求項７】
前記導電金具は、前記基台を上下に貫通して固定され、
前記基台から外部に露出する前記導電金具の上下両側の端部にそれぞれ端子ネジが設けられたものであって、
前記収容溝は、前記リブの基台正面側又は背面側の側面に開口形成されたことを特徴とする請求項１乃至６のいずれか一項に記載の端子台。
【請求項８】
前記基台は、前記収容溝が開口形成されたリブ側面に、前記温度検出器を覆って保護する絶縁性の保護カバーが着脱可能に取り付けられたことを特徴とする請求項７に記載の端子台。
【請求項９】
前記導電金具は、前記基台の上面に固定された金属板であり、その表面に複数の端子ネジが設けられたものであって、
前記収容溝は、前記リブの基台底面側に開口形成されたことを特徴とする請求項１乃至６のいずれか一項に記載の端子台。
【請求項１０】
前記基台は、前記収容溝が開口形成されたリブ底面に、前記温度検出器を覆って保護する絶縁性の保護カバーが着脱可能に取り付けられたことを特徴とする請求項９に記載の端子台。
【請求項１１】
前記基台は、前記収容溝に収容された前記温度検出器を覆って保護する絶縁性の保護カバーが着脱可能に取り付けられたことを特徴とする請求項１乃至６のいずれか一項に記載の端子台。
【請求項１２】
前記保護カバーは、前記基台に取り付けた状態で前記収容溝側へ突出し、前記収容溝に収容した前記温度検出器本体を押さえ付ける押付片を有することを特徴とする請求項８、１０、１１のいずれか一項に記載の端子台。
【請求項１３】
前記保護カバーは、前記温度検出器のリードどうしが接触しないように分離する分離壁を有することを特徴とする請求項８又は１０乃至１２のいずれか一項に記載の端子台。
【請求項１４】
前記基台および前記保護カバーのうちで一方または双方の長手方向端部またはその近傍には、前記温度検出器のリードを通すための穴または切欠きを有することを特徴とする請求項８又は１０乃至１３のいずれか一項に記載の端子台。
【考案の詳細な説明】
【技術分野】
【０００１】
本考案は、電線の中継等に用いる端子台、特に温度検出器を有する端子台に関する。
【背景技術】
【０００２】
従来では、電線と端子金具の接続が緩んだ状態で通電されることによって端子金具が加熱された際、速やかに温度ヒューズを溶断させることのできる端子台に関する技術の一例が開示されている（例えば特許文献１を参照）。この端子台は、温度ヒューズを端子金具に当接させる構成である。
【０００３】
また、温度ヒューズを備えて、端子台に接続される電源線等の配線コードの緩みによる異常高温を阻止するとともに、温度ヒューズの組立て性の向上を図る空気調和機に関する技術の一例が開示されている（例えば特許文献２を参照）。この空気調和機は、第１の端子台と第２の端子台との間における空間部に温度ヒューズを設け、所定温度以上の熱影響を受けたとき溶断して室外機への電源供給を遮断する構成である。
【０００４】
さらに、端子台の接続部にて接続不安定等により異常発熱を生じた時に、温度ヒューズがより確実に溶断動作するようにした端子台用温度ヒューズ取付具に関する技術の一例が開示されている（例えば特許文献３を参照）。この端子台用温度ヒューズ取付具は、極間を絶縁するために設けた端子台リブに嵌合する溝を設け、その溝部分にて温度ヒューズを端子台リブに接合する構成である。
【０００５】
そして、リードの挿入性と接続性に優れ、異物によるショートを防止できる温度ヒューズ付き端子台に関する技術の一例が開示されている（例えば特許文献４を参照）。この温度ヒューズ付き端子台は、ハウジングの裏面側からコンタクトを収納し、ハウジングの表面側からリード接続する構成である。
【０００６】
それから、接続部材の接続不良による発熱に対し、温度ヒューズが従来のものより早く溶断する端子台に関する技術の一例が開示されている（例えば特許文献５を参照）。この端子台は、端子台本体の内室と蓋体と連通する空所を設け、当該空所内に温度ヒューズを設置する構成である。
【先行技術文献】
【特許文献】
【０００７】
【特許文献１】特開２００２−３４３４５９号公報
【特許文献２】特開平０７−３２４７７２号公報
【特許文献３】特開平１０−２０９６５４号公報
【特許文献４】特開２００６−０７９８６６号公報
【特許文献５】実開平０５−０６１９７８号公報
【考案の概要】
【考案が解決しようとする課題】
【０００８】
通電時に発熱するのは、接続が緩んだ状態等の条件下において、端子金具等のように電線を直接的に接続する部材や部品である。しかし、特許文献１〜５の技術を適用すると、発熱源たる端子金具等から離れた位置に温度ヒューズを備えている。端子金具等で発生した熱は端子台本体や端子金具を伝導するが、その伝導過程で温度が低下する。
【０００９】
例えば特許文献１の図１には、接続片（３１）と連結片（３２）とを有する端子金具（３）が記載されている。当該連結片（３２）に温度ヒューズ（４）が備えられているが、端子金具（３）の全体が露出している。接続片（３１）で発生する熱は連結片（３２）に伝導する過程では、外部環境の温度（一般的には気温）との温度差に応じて放熱されるために低下する。温度ヒューズはその設定温度で作動するものの、端子金具等（上述した例では接続片（３１））では設定温度よりも大幅に高くなる。そのため、端子金具等の発熱源では高い温度になり、端子台自体への影響（例えば早期の劣化やクラックの発生等）も大きくなるという問題点があった。
【００１０】
本考案はこのような点に鑑みてなしたものであり、導電金具における発熱をばらつきなく確実に温度検出器で検出できるようにした端子台を提供することを目的とする。
【課題を解決するための手段】
【００１１】
上記課題を解決するためになされた請求項１に記載の考案は、絶縁性の基台と、前記基台に固定される複数の導電金具と、温度を検出する温度検出器とを有する端子台において、前記基台は、隣接する前記導電金具間にこれらを絶縁するリブが設けられ、前記リブに前記温度検出器を個別に収容可能な収容溝が形成されたことを特徴とする。
【００１２】
この構成によれば、接続不良等によって通電時に導電金具で発熱が生じると、当該導電金具に隣接するリブに設けられた収容溝に収容される温度検出器によって発熱が確実に検出される。すなわち、温度検出器を個別に収容する収容溝は、隣接する導電金具間に設けられるリブに形成されているので、温度検出器は、発熱源である導電金具の近傍に位置決めされる。よって、リブを挟む両側の導電金具における発熱をばらつきなく確実に検出することができる。また、リブは隣接する導電金具どうしを絶縁するために本来必要な構成であり、そのリブに温度検出器を収容するための収容溝を設けたので、省スペースで温度検出器を配設することができる。
【００１３】
なお、「基台」は端子台の本体に相当する。「温度検出器」には、所定温度に達すると通電を遮断する温度ヒューズや、検出した温度に対応する信号を出力する温度センサなどを含む。
【００１４】
請求項２に記載の考案は、前記収容溝は、前記温度検出器の本体においてリードが設けられるリード面を除いて、前記温度検出器本体の全面が当該収容溝の内壁に面接触又は面近接するように形成されたことを特徴とする。この構成によれば、温度検出器本体は、その全面が収容溝の内壁に面接触又は面近接するので、温度検出器本体と内壁との間の大気による温度低下の影響が排除され、リブを介して発熱源である導電金具の温度により近い温度を検出することができる。なお、「収容溝」の内壁と「温度検出器本体」とは、全面（ただし温度検出器のリード面を除く）で面接触または面近接する関係であればよく、両者の形状を問わない。例えば、温度検出器本体が直方体状である場合、収容溝を温度検出器本体の外形に略整合する矩形状の溝断面を有する溝形状とすることが好ましい。
【００１５】
請求項３に記載の考案は、前記収容溝の内壁と前記収容溝に収容される前記温度検出器本体との隙間が０．３〜０．５ｍｍであることを特徴とする。この構成によれば、収容溝内壁と温度検出器本体との隙間が微小であるため、大気による温度低下の影響を確実に排除することができる。また、当該隙間が確保されることにより、温度検出器本体を収容溝に収容し易く、また溶断や故障等によって温度検出器の交換が必要な場合でも容易に取り出すことができる。
【００１６】
請求項４に記載の考案は、複数の前記収容溝が直線状に配列されて形成され、前記温度検出器は、複数の前記収容溝に一つおきに収容されたことを特徴とする。この構成によれば、収容された収容溝があるリブに接する二の導電金具にかかる温度を一の温度検出器で検出することにより、必要とする温度検出器の数が抑えられるので、コストを低減できる。
【００１７】
請求項５に記載の考案は、複数の前記収容溝のうちで二以上の前記収容溝にそれぞれ前記温度検出器を収容する場合には、二以上の前記温度検出器を直列接続することを特徴とする。この構成によれば、少なくとも一の温度検出器において設定温度に達した場合には、端子台に発熱が生じたことを検出することができる。
【００１８】
請求項６に記載の考案は、前記温度検出器は、所定温度に達すると通電を遮断する温度ヒューズであることを特徴とする。この構成によれば、温度検出器としての温度ヒューズは、導電金具の温度に近い設定温度で作動（一般的には溶断や断線）して、通電を遮断する。そのため、安価な構成で導電金具の発熱を確実に検出することができる。
【００１９】
請求項７に記載の考案は、前記導電金具は、前記基台を上下に貫通して固定され、前記基台から外部に露出する前記導電金具の上下両側の端部にそれぞれ端子ネジが設けられたものであって、前記収容溝は、前記リブの基台正面側又は背面側の側面に開口形成されたことを特徴とする。この構成によれば、電気機器の筐体等に取り付けられて外部配線用の電線と内部配線用の電線との接続に使用される、いわゆる上下ネジタイプの貫通端子台において、導電金具の発熱を確実に検出することができる。特に、収容溝が、リブの基台正面側又は背面側の側面に開口形成されているので、省スペースで温度検出器を配設することができる。
【００２０】
請求項８に記載の考案は、前記基台は、前記収容溝が開口形成されたリブ側面に、前記温度検出器を覆って保護する絶縁性の保護カバーが着脱可能に取り付けられたことを特徴とする。この構成によれば、収容溝に温度検出器を収容した状態を確実に保持できる。また、外部からの衝撃による温度検出器の損傷を防止できると共に、埃等の温度検出器への付着を防止することができる。
【００２１】
請求項９に記載の考案は、前記導電金具は、前記基台の上面に固定された金属板であり、その表面に複数の端子ネジが設けられたものであって、前記収容溝は、前記リブの基台底面側に開口形成されたことを特徴とする。この構成によれば、電線の中継等に使用される、いわゆる中継用端子台において、導電金具の発熱を確実に検出することができる。特に、収容溝が、リブの基台底面側に開口形成されているので、省スペースで温度検出器を配設することができる。
【００２２】
請求項１０に記載の考案は、前記基台は、前記収容溝が開口形成されたリブ底面に、前記温度検出器を覆って保護する絶縁性の保護カバーが着脱可能に取り付けられたことを特徴とする。この構成によれば、収容溝に温度検出器を収容した状態を確実に保持できる。また、外部からの衝撃による温度検出器の損傷を防止できると共に、埃等の温度検出器への付着を防止することができる。
【００２３】
請求項１１に記載の考案は、前記基台は、前記収容溝に収容された前記温度検出器を覆って保護する絶縁性の保護カバーが着脱可能に取り付けられたことを特徴とする。この構成によれば、収容溝に温度検出器を収容した状態を確実に保持できる。また、外部からの衝撃による温度検出器の損傷を防止できると共に、埃等の温度検出器への付着を防止することができる。
【００２４】
請求項１２に記載の考案は、前記保護カバーは、前記基台に取り付けた状態で前記収容溝側へ突出し、前記収容溝に収容した前記温度検出器本体を押さえ付ける押付片を有することを特徴とする。この構成によれば、押付片は、収容溝に収容した温度検出器本体を押さえ付けて収容溝に収容した状態を確実に保持するので、正確に温度の検出を行うことができる。
【００２５】
請求項１３に記載の考案は、前記保護カバーは、前記温度検出器のリードどうしが接触しないように分離する分離壁を有することを特徴とする。温度検出器のリードどうしが接触するとショート状態になり、当該リードを有する温度検出器が機能しなくなる。この構成によれば、分離壁はリードどうしが接触しないように分離するので、温度検出器が機能しなくなる事態を防止することができる。
【００２６】
請求項１４に記載の考案は、前記基台および前記保護カバーのうちで一方または双方の長手方向端部またはその近傍には、前記温度検出器のリードを通すための穴または切欠きを有することを特徴とする。この構成によれば、穴や切欠きに温度検出器のリードを通すだけで、外部機器と簡単に電気的な接続を行うことができる。「外部機器」は、例えば温度検出器が接続される異常警報回路や電源遮断回路を備えた電気機器などが該当する。
【図面の簡単な説明】
【００２７】
【図１】本考案の実施形態の端子台を示す図であり、（Ａ）は正面図、（Ｂ）は背面図、（Ｃ）は平面図、（Ｄ）は右側面図、（Ｅ）は左側面図である。
【図２】（Ａ）は図１（Ａ）に示すIIA−IIA線矢視の断面図であり、（Ｂ）は温度ヒューズの一例を示す斜視図である。
【図３】図１に示すIII−III線矢視の断面図である。
【図４】図１に示すIV−IV線矢視の断面図である。
【図５】保護カバーを外した状態の端子台を示す正面図である。
【図６】収容した複数の温度ヒューズにかかる第１接続例を示す正面図である。
【図７】保護カバーの構成例を示す図であり、（Ａ）は第１構成例の裏面を示す図、（Ｂ）は第２構成例の裏面を示す図、（Ｃ）は（Ａ）又は（Ｂ）に示すVIIC−VIIC矢視の断面図である。
【図８】コネクタを取り付けた状態の端子台を示す平面図である。
【図９】上部カバーと取り付けた状態の端子台を示す正面図である。
【図１０】収容した複数の温度ヒューズにかかる第２接続例を示す側面図である。
【図１１】本考案の他の実施形態の端子台を示す図であり、（Ａ）は平面図、（Ｂ）は正面図、（Ｃ）は背面図、（Ｄ）は右側面図である。
【図１２】他の実施形態の端子台を示す底面図である。
【図１３】他の実施形態において保護カバーを外した状態の端子台を示す底面図である。
【図１４】図１１（Ｂ）に示すXIV−XIV線矢視の断面図である。
【図１５】図１１（Ｂ）に示すXV−XV線矢視の断面図である。
【考案を実施するための形態】
【００２８】
以下、本考案を実施するための形態について、図面に基づいて説明する。なお、特に明示しない限り、「接続する」という場合には電気的な接続を意味する。各図は、本発明を説明するために必要な要素を図示し、実際の全要素を図示してはいない。上下左右等の方向を言う場合には、図面の記載を基準とする。
【００２９】
まず、本考案を具体化した第一の実施形態に係る端子台１０の第１構成例を図１〜図８に示す。具体的には、図１（Ａ）には正面図を示す。図１（Ｂ）には背面図を示す。図１（Ｃ）には平面図（上面図）を示す。図１（Ｄ）には右側面図を示す。図１（Ｄ）には左側面図を示す。図２（Ａ）には図１（Ａ）に示すIIA−IIA線矢視の断面図を示す。図２（Ｂ）には温度ヒューズの構成例を斜視図で示す。なお、図２（Ｂ）では温度ヒューズのリードの図示を省略している。図３には図１に示すIII−III線矢視の断面図を示す。図４には図１に示すIV−IV線矢視の断面図を示す。図５には保護カバーを外した状態における端子台の正面図を示す。図６には収容した複数の温度ヒューズにかかる第１接続例を正面図で示す。保護カバーの構成例について、図７（Ａ）には第１構成例の裏面を示す図を示し、図７（Ｂ）には第２構成例の裏面を示す図を示し、図７（Ｃ）には図７（Ａ）と図７（Ｂ）に示すVIIC−VIIC矢視の断面図を示す。図８にはコネクタを取り付けた状態の端子台を平面図で示す。
【００３０】
端子台１０は、電気機器の筐体等に取り付けられて外部配線用の電線と内部配線用の電線との接続に使用される、いわゆる上下ネジタイプの貫通端子台である。端子台１０は、図１（Ａ）等に示すように、絶縁性の基台１２を本体として、取付部１１、リブ１３、保護カバー１４、切欠き１５、端子ネジ２０などを有する。さらに図２（Ａ）等に示すように、導電金具１６、収容溝１７、温度ヒューズ３０などをも有する。
【００３１】
取付部１１は、端子台１０の端部（図１（Ａ）では図面の左右両端）に備えられ、端子台１０自体を対象物（例えば電機機器の筺体等）に固定する際に用いられる。この取付部１１は、図１（Ｃ）に図示するような「Ｕ」字状の凹部１１ａ（切欠き）を有し、固定部材（例えばネジや、ボルトとナット等）を用いて固定が行われる。
【００３２】
基台１２は、耐熱性の樹脂で形成され、絶縁性を有する。基台１２の材質としては、例えば、ＰＢＴ（ポリブチレンテレフタレート）などを好適に用いることができる。この基台１２は、導電金具１６、カバー装着部１２ａ、凸部１２ｂ、リブ１３などを有する。導電金具１６は、基台１２における所定方向（図１（Ａ），図１（Ｂ），図２（Ａ）では図面上下方向）に貫通するように固定される。導電金具１６の数は任意に設定可能である。図１や図２に示す構成例では８つの導電金具１６が一列状に固定され、一部（すなわち両方側端部）がそれぞれ基台１２から外部に露出する。このように基台１２が導電金具１６を貫通して備え、後述するカバー装着部１２ａ、凸部１２ｂおよびリブ１３を有する構造とするには、インサート成形を行うのが望ましい。
【００３３】
カバー装着部１２ａは、後述する保護カバー１４を着脱可能（取り付け、取り外し）にする作用を有し、基台１２の長手方向に形成される長溝状の凹部である。図２（Ａ）や図３〜図５に示す構成例では、正面側側面のほぼ中央部に形成している。
【００３４】
凸部１２ｂは絶縁性を有し、所定方向（図３では図面水平方向）に凸状に形成される基台１２の構成部位（部分）である。複数の凸部１２ｂは、導電金具１６ごとに対応して形成される。本形態では基台１２の一部として一体化させているが、凸部１２ｂを別体に形成して基台１２に固定する構成としてもよい。いずれの形態にせよ、電線の接続によって隣り合う電線どうしがショート（接触）するのを防止する機能を担う。
【００３５】
リブ１３は絶縁性を有し、隣接する導電金具１６間に設けられてこれらを絶縁する機能を担う基台１２の構成部位（部分）である。複数のリブ１３は、図１に示す外観図や図４の断面図で示すように、基台１２の短手方向に形成される長板状部位である。ただし図４に示すように、リブ１３の全体がややＴ字状に形成され、カバー装着部１２ａおよび収容溝１７に対応する部分を凹ませて形成される。
【００３６】
保護カバー１４は絶縁性を有し、収容溝１７に収容された温度ヒューズ３０を覆って保護する作用を有する（図２を参照）。この保護カバー１４は、図３や図４等に示すように、基台１２のカバー装着部１２ａに対して着脱可能な形状で形成される。一方、図１（Ｂ）に示すように長手方向の背面側側面に対しては取り付けることはできない。なお、保護カバー１４の具体的な構成例については後述する（図７を参照）。
【００３７】
切欠き１５は、図１（Ｄ）や図１（Ｅ）に示すように、基台１２の長手方向端部（図１（Ａ）では図面の左右両端）に設けられる。この切欠き１５は、温度ヒューズ３０のリード３０ａを通す作用を有する（図６を参照）。
【００３８】
導電金具１６は、円筒形状に形成された導電体（例えば黄銅等の金属）である。本形態では、基台１２を貫通するように導電金具１６が固定され、当該導電金具１６の一部（端面を含む）が外部に露出する。内筒側の全面には、雌ネジ１６ａが形成されている。この雌ネジ１６ａは、端子ネジ２０の軸に形成された雄ネジ２０ａとで締結を行う。なお図３に示すように、接続不良等を抑制するため、端子ネジ２０の頭部と導電金具１６の端部との間に座金（ワッシャー）を挟むのが望ましい。
【００３９】
収容溝１７はリブ１３に設けられ、温度ヒューズ３０の本体３０ｃを個別に収容する機能を担う。この収容溝１７は、温度ヒューズ本体３０ｃの外形よりも僅かに大きい矩形状の溝断面を有しており、収容溝１７の内壁面が温度ヒューズ本体３０ｃと面接触又は面近接するように形成される。さらに、収容溝１７に温度ヒューズ本体３０ｃが収容された状態で、所定の隙間（例えば０．３〜０．５ｍｍ）があるように形成されるのが望ましい。具体的には、カバー装着部１２ａよりもさらに基台１２の中心部に向かって凹状に形成される。収容溝１７の数は任意に設定でき、図５に示す構成例では７つの収容溝１７を設けている。複数の収容溝１７は直線状に配列される構成が望ましいが、非直線状に配列する構成としてもよい。
【００４０】
端子ネジ２０は、雄ネジ２０ａを有する鉄等の金属からなるビスやスクリュ等が該当し、導電金具１６の端部（図１や図２では両端部）に取り付けられる。電線は、端子ネジ２０（具体的には頭部）と導電金具１６の端面との間に挟まれて接続される。電線の端部は圧着端子や圧着スリーブなど備えるのが、接続作業性を向上させ、接続不良等を抑制する観点で望ましい。導電金具１６と端子ネジ２０との締結力が不十分だったり、外部要因（例えば振動等）によって締結が緩んだり、粉塵や油脂が挟まったりするなどの不適切な事態（いわゆる接続不良）が発生する場合がある。不適切な事態が発生すると、電線と導電金具１６との間に接触抵抗が生じて発熱する可能性がある。接触抵抗を極力抑えるために、端子ネジ２０と導電金具１６とで挟んだ電線に対して接合（例えば溶接や半田付け等）を行ってもよい。
【００４１】
温度ヒューズ３０は、所定温度に達すると通電を遮断する機能を担う。所定温度は例えば９８℃や１１１℃などが該当し、所定の温度範囲（例えば±３℃）内で許容される。この温度ヒューズ３０は「温度検出器」に相当する。一の端子台１０に収容する温度ヒューズ３０の数は任意に設定可能である。図６に示す構成例では、４個の温度ヒューズ３０を直列接続したうえで、７つの収容溝１７に一つおきに収容している。複数の温度ヒューズ３０の接続は任意であり、直列接続してもよく、並列接続してもよい。
【００４２】
また温度ヒューズ３０は、図２（Ｂ）に示すように、本体３０ｃと、二本のリード３０ａとで構成される。本体３０ｃには所定温度に達すると溶断（切断）するヒューズが内蔵され、当該ヒューズと接続されたリード３０ａがリード面３０ｂから出ている。本体３０ｃは、一般に角型と称される直方体状の外形を呈している。このため、収容溝１７はこの本体３０ｃの外形に略整合する矩形状の溝断面を有する溝形状に形成されている。
【００４３】
次に保護カバー１４の構成例について、図７を参照しながら説明する。図７（Ａ）は第１構成例の裏面を示す図、（Ｂ）は第２構成例の裏面を示す図である。図７（Ｃ）には図７（Ａ）および図７（Ｂ）に示すVIIC−VIIC矢視の断面図を示す。なお保護カバー１４は、図７（Ａ）に示す第１構成例または図７（Ｂ）に示す第２構成例のいずれか一方で構成される。
【００４４】
図７（Ａ）および図７（Ｃ）に示す第１構成例による保護カバー１４には、一面側（カバー装着部１２ａと対面する側）に複数の押付片１４ａが形成されている。押付片１４ａは、図２（Ａ）に示すように、断面円形のピン状に形成され、収容溝１７に収容した温度ヒューズ本体３０ｃを収容溝１７の溝底面側へ押し付けて固定する作用を有する。押付片１４ａの形成位置は、収容溝１７に収容した温度ヒューズ３０を押し付け可能な位置である。図７（Ａ）に示す第１構成例では、一点鎖線で示す長手方向の中心線に沿って、複数の押付片１４ａを離散的に形成している。押付片１４ａの数は任意に設定可能であるが、図７（Ａ）の例では、４個の温度ヒューズ３０が配設される収容溝１７の位置に対応して４個形成している。
【００４５】
図７（Ｂ）および図７（Ｃ）の第２構成例による保護カバー１４には、一面側（カバー装着部１２ａと対面する側）に複数の分離壁１４ｂが形成されている。分離壁１４ｂは、押付片１４ａの押し付け機能とともに、温度ヒューズ３０のリード３０ａどうしが接触しないように分離する作用を有する。図７（Ｂ）に示す第２構成例では、一点鎖線で示す長手方向の中心線に沿って、複数の分離壁１４ｂを長手方向に一列状に形成している。分離壁１４ｂの相互間はスリットの役割を果たし、リード３０ａを通すことができる。分離壁１４ｂの数は任意に設定可能であるが、図７（Ｂ）の例では７個全ての収容溝１７の位置に対応して７個形成している。
【００４６】
図６に示すように複数の温度ヒューズ３０を直列接続し、各温度ヒューズ３０の本体３０ｃを収容溝１７に収容した場合における左右両端のリード３０ａの処理例を図８に示す。直列接続されない残りのリード３０ａは、それぞれに対応する切欠き１５を通す（図６を参照）。切欠き１５を通した各リード３０ａは、それぞれに接続線３１を接続する。各接続線３１は、コネクタ４０内の対応端子（図示せず）と接続する。このコネクタ４０を用いることによって、外部機器と容易に接続が行える。「外部機器」は、例えば温度ヒューズ３０の状態によって導電金具１６を通じて通電を行う制御機器や配電盤などが該当する。なお、リード３０ａが接続線３１に相当する長さを有する場合には、接続線３１は不要である。
【００４７】
上述した実施の形態によれば、以下に示す各効果を得ることができる。まず、端子台１０において、基台１２は、隣接する導電金具１６間にこれらを絶縁するリブ１３が設けられ、リブ１３に温度ヒューズ３０を個別に収容可能な収容溝１７が形成された構成とした（図１等を参照）。この構成によれば、接続不良等によって通電時に導電金具１６で発熱が生じると、当該導電金具１６に隣接するリブ１３に設けられた収容溝１７に収容される温度ヒューズ３０によって発熱が確実に検出される。すなわち、温度ヒューズ３０を個別に収容する収容溝１７は、隣接する導電金具１６間に設けられるリブ１３に形成されているので、温度ヒューズ３０は、発熱源である導電金具１６の近傍に位置決めされる。よって、リブ１３を挟む両側の導電金具１６における発熱をばらつきなく確実に検出することができる。なお、本考案者は、実験により、導電金具１６が１３５℃〜１４０℃となった時に温度ヒューズ３０のヒューズが溶断して発熱が検出されることを確認している。また、リブ１３は隣接する導電金具１６どうしを絶縁するために本来必要な構成であり、そのリブ１３に温度ヒューズ３０を収容するための収容溝１７を設けたので、省スペースで温度ヒューズ３０を配設することができる。
【００４８】
また、収容溝１７は、温度ヒューズ３０のリード面３０ｂを除いて、温度ヒューズ３０の本体３０ｃの全面が収容溝１７の内壁に面接触又は面近接するように形成された構成とした（図２（Ａ）を参照）。この構成によれば、温度ヒューズ３０の本体３０ｃは、その全面が収容溝１７の内壁に面接触又は面近接するので、温度ヒューズ本体３０ｃと内壁との間の大気による温度低下の影響が排除され、リブ１３を介して発熱源である導電金具１６の温度により近い温度を検出することができる。
【００４９】
また、収容溝１７の内壁と収容溝１７に収容される温度ヒューズ３０の本体３０ｃとの隙間が所定の間隔（０．３〜０．５ｍｍ）である構成とした。この構成によれば、収容溝１７内壁と温度ヒューズ本体３０ｃとの隙間が微小であるため、大気による温度低下の影響を確実に排除することができる。尚、当該隙間が１ｍｍ程度である場合には、６０℃程度の温度低下が生じることが本考案者によって確認されている。また、当該隙間が確保されることにより、温度ヒューズ本体３０ｃを収容溝１７に収容し易く、また溶断や故障等によって温度ヒューズ３０の交換が必要な場合でも容易に取り出せる。
【００５０】
また、複数の収容溝１７が直線状に配列されて形成され、温度ヒューズ３０は、複数の収容溝１７に一つおきに収容された構成とした（図５，図６を参照）。この構成によれば、収容された収容溝１７があるリブ１３に接する二の導電金具１６にかかる温度を一の温度ヒューズ３０で検出することにより、必要とする温度ヒューズ３０の数が抑えられるので、コストを低減できる。
【００５１】
また、複数の収容溝１７のうちで二以上の収容溝１７にそれぞれ温度ヒューズ３０を収容する場合には、二以上の温度ヒューズ３０を直列接続する構成とした（図６を参照）。この構成によれば、少なくとも一の温度ヒューズ３０において設定温度に達した場合には、端子台１０に発熱が生じたことを検出することができる。
【００５２】
また、導電金具１６は、基台１２を上下に貫通して固定され、基台１２から外部に露出する導電金具１６の上下両側の端部にそれぞれ端子ネジ２０が設けられたものであって、収容溝１７は、リブ１３の基台正面側の側面に開口形成された構成とした（図６，図８を参照）。この構成によれば、電気機器の筐体等に取り付けられて外部配線用の電線と内部配線用の電線との接続に使用される、いわゆる上下ネジタイプの貫通端子台において、導電金具１６の発熱を確実に検出することができる。尚、収容溝１７は、基台背面側に設ける構成としてもよい。
【００５３】
また、温度検出器としての温度ヒューズ３０は、所定温度（例えば９８±３℃や１１１±３℃など）に達すると通電を遮断する構成とした（図２（Ｂ）を参照）。この構成によれば、温度ヒューズ３０は、導電金具１６の温度に近い設定温度で作動（一般的には溶断や断線）して、通電を遮断する。そのため、安価な構成で導電金具１６の発熱を確実に検出することができる。
【００５４】
また、基台１２は、収容溝１７が開口形成された基台正面側のリブ側面に、収容溝１７に収容された温度ヒューズ３０を覆って保護する絶縁性の保護カバー１４が着脱可能に取り付けられる構成とした（図１（Ａ），図３，図４を参照）。この構成によれば、収容溝１７に温度ヒューズ３０を収容した状態を確実に保持でき、正確に温度を検出することができる。また、外部からの衝撃による温度ヒューズ３０の損傷を防止できると共に、埃等の温度ヒューズ３０への付着を防止することができる。
【００５５】
また、保護カバー１４は、基台１２に取り付けた状態で収容溝１７側へ突出し、収容溝１７に収容した温度ヒューズ３０を押さえ付ける押付片１４ａを有する構成とした（図７（Ａ）の第１構成例）。この構成によれば、押付片は、収容溝に収容した温度検出器本体を押さえ付けて収容溝に収容した状態を確実に保持するので、正確に温度の検出を行うことができる。
【００５６】
また、保護カバー１４は、温度ヒューズ３０のリード３０ａどうしが接触しないように分離する分離壁１４ｂを有する構成とした（図７（Ｂ）の第２構成例）。また、分離壁１４ｂはリード３０ａどうしが接触しないように分離するので、温度ヒューズ３０が機能しなくなる事態を防止できる。
【００５７】
また、基台１２の側面部の長手方向端部には、温度ヒューズ３０のリード３０ａを通すための切欠き１５を有する構成とした（図１（Ａ），図５，図６を参照）。なお図示しないが、切欠き１５に代えて、リード３０ａを通せる程度の穴を設ける構成としてもよく、切欠き１５または穴を保護カバー１４に設ける（あるいは加える）構成としてもよい。いずれの構成にせよ、切欠き１５や穴に温度ヒューズ３０のリード３０ａを通すだけで、外部機器と簡単に電気的な接続を行うことができる。尚、切欠き１５は、基台１２の側面部の長手方向端部の近傍に設ける構成としてもよい。
【００５８】
〔他の実施の形態〕
以上では本考案を実施するための形態について説明したが、本考案は当該形態に何ら限定されるものではない。言い換えれば、本考案の要旨を逸脱しない範囲内において、種々なる形態で実施することもできる。例えば、次に示す各形態を実現してもよい。
【００５９】
上述した実施の形態では、隣接する導電金具１６に接続する電線の接触を防止するため、端子台１０にリブ１３を設けた（図１等を参照）。この形態に加えて、図９に示すように、端子ネジ２０の頭部側を覆うように保護する保護カバー１８をさらに備える構成としてもよい。この保護カバー１８は、８つの端子ネジ２０について一部を保護する。図示しないが、全部の端子ネジ２０を保護する形状としてもよい。また、図９の上部だけでなく下部にも同様に備えてもよい。リブ１３に加えて保護カバー１８を備えることで、隣り合う電線どうしがショート（接触）する事態をより確実に防止することができる。
【００６０】
上述した実施の形態では、複数の温度ヒューズ３０を直列接続する場合、図６に示すように一部を斜めに接続する構成とした。この形態に代えて、図１０に示すように全てを長手方向に沿って接続する構成としてもよい。単に接続形態の相違に過ぎないので、上述した実施の形態と同様の作用効果を得ることができる。
【００６１】
上述した実施の形態では、温度検出器として、所定温度に達すると通電を遮断する温度ヒューズ３０を適用した（図２を参照）。この形態に代えて（あるいは加えて）、検出した温度に対応する信号を出力する一以上の温度センサを適用してもよい。複数の温度センサを備える場合には、個々の温度センサのリードを外部機器に接続する必要がある。この構成によれば、どの導電金具１６で何℃になっているのかを的確に把握することができるので、端子台１０にかかる一部または全体の発熱を検出することができる。
【００６２】
上述した実施の形態では、基台１２を貫通して固定される導電金具１６は、円筒形状に形成し、直線状に形成した（図２（Ａ），図３を参照）。この形態に代えて、円筒形状以外の第１形状に形成してもよく、直線状以外の第２形状に形成してもよい。前者の第１形状は、導電金具１６の端部（片端または両端）を凹形状に形成し、当該凹形状の内面側に雌ネジ１６ａを形成する構成である。後者の第２形状は任意であり、例えばＬ字状，Ｕ字状，Ｅ字状，曲線状などが該当する。一例としてＵ字状で形成する場合には、図１（Ａ）の保護カバー１４を含む図面上側部分の構造になる。またＥ字状で形成する場合には、一入力・複数出力となる分配機能が可能になる。端子台１０を設置する周囲環境に合わせて第２形状を設定すればよい。いずれの構成にせよ導電金具１６の形状が相違するに過ぎないので、上述した実施の形態と同様の作用効果を得ることができる。
【００６３】
上述した実施の形態では、図７（Ａ）に示す複数の押付片１４ａや図７（Ｂ）に示す複数の分離壁１４ｂを、それぞれ一点鎖線で示す長手方向の中心線に沿って形成する構成とした（図７を参照）。この形態に代えて、押付片１４ａがリード面３０ｂを押し付けることができ、分離壁１４ｂがリード３０ａどうしが接触しないように分離できれば、中心線に沿う以外の位置に形成してもよい。温度ヒューズ３０や温度センサによってはリード３０ａの出る位置が異なり、必ずしも中心である必要はないからである。位置が異なる構成であっても、押付片１４ａおよび分離壁１４ｂの機能を実現できるので、上述した実施の形態と同様の作用効果を得ることができる。
【００６４】
上述した実施の形態では、端子ネジ２０の雄ネジ２０a（係合部）をビスやスクリュ等の雄ネジで形成し、当該端子ネジ２０と締結を行う導電金具１６に雌ネジ１６ａ（被係合部）を形成する構成とした（図３を参照）。この形態に代えて、電線を接続可能な他の係合部および被係合部で形成する構成としてもよい。第１構成例は上述した実施の形態とは逆の形態であり、端子ネジ２０を雌ネジで形成し、雌ネジ１６ａを雄ネジで形成する。第２構成例は、端子ネジ２０と導電金具１６（特に雌ネジ１６ａ）とをピンジャックのように形成する。すなわち一方をピン形状とし、他方をジャック形状とする。これらの構成によっても電線を接続できるので、上述した実施の形態と同様の作用効果を得ることができる。
【００６５】
上述した実施の形態では、隣り合う二組の導電金具１６および端子ネジ２０の相互間の全てに収容溝１７を設ける構成とした（図５，図６，図１０を参照）。この形態に代えて、温度ヒューズ３０を収容する箇所にのみ収容溝１７を形成する構成としてもよい。例えば図５，図６，図１０に示す構成では、温度ヒューズ３０を収容していない３箇所の収容溝１７は形成しない。単に収容溝１７の数の相違に過ぎないので、上述した実施の形態と同様の作用効果を得ることができる。
【００６６】
上述した実施の形態では、いわゆる上下ネジタイプの貫通端子台に本考案を適用した例を示したが、これには限られない。例えば、基台を貫通する導電金具の一方側端部に端子ネジが設けられ且つ他方側端部にリード端子やタブ端子が設けられる貫通端子台に適用してもよい。また、貫通端子台以外のタイプの端子台、すなわち導電金具が基台の一方側の面にのみ露出し、電線の中継や分岐に用いられる端子台に本考案を適用してもよい。
【００６７】
以下、本考案の第二の実施形態に係る端子台１１０について、図１１〜１５を参照しつつ説明する。尚、第一の実施形態と同一部材には同一符号を付すと共に、対応又は類似する部材には下２桁に同一符号を付して詳細な説明を省略する。
【００６８】
図１１は、端子台１１０を示す図であり、（Ａ）は平面図、（Ｂ）は正面図、（Ｃ）は背面図、（Ｄ）は右側面図である。図１２は、端子台１１０を示す底面図である。図１３は、保護カバー１１４を外した状態の端子台１１０を示す底面図である。図１４は、図１１（Ｂ）に示すXIV−XIV線矢視の断面図である。図１５は、図１１（Ｂ）に示すXV−XV線矢視の断面図である。尚、図１１（Ｂ）〜（Ｄ）では、温度ヒューズ３０用のコネクタ及びリードの図示を省略している。
【００６９】
端子台１１０は、電線の中継や分岐に用いられる、いわゆる中継用端子台であり、図１１、１４に示すように、基台１１２、記号板１５０及び保護カバー１１４を１つずつ備えると共に、極数分（本実施形態では６個）の導電金具１１６が基台１１２上に固定され、各導電金具１１６上面の基台正面側及び背面側にはそれぞれ端子ネジ１２０が取り付けられている。基台１１２には、隣接する各導電金具１１６間を絶縁するリブ１１３が設けられ、図１３，１５に示すように、各リブ１１３の基台１１２底面側には矩形断面を有する収容溝１１７が形成されている。収容溝１１７は、温度ヒューズ本体３０ｃを個別に収容可能となっている。また、基台正面側の端子ネジ１２０と背面側の端子ネジ１２０との間には、図１４、１５に示すように、左右に延びる壁状のリブ１１９が設けられ、リブ１１９の上面には各端子を区別する記号を記入するための樹脂製の記号板１５０が取り付けられている。
【００７０】
保護カバー１１４は、図１４，１５に示すように、基台１１２の底面側に着脱可能に取り付けられ、収容溝１１７に収容された温度ヒューズ本体３０ｃにピン状の突起部である押付片１１４ａ先端を当接させて固定支持すると共に、基台１１２底面全体を覆っている。
【００７１】
尚、収容溝１１７における温度ヒューズ３０の収容態様（内壁との位置関係、隙間）、温度ヒューズ３０の接続構成は、上述した第一の実施形態と同様である。
【００７２】
上述した実施の形態によれば、以下に示す各効果を得ることができる。すなわち、端子台１１０において、導電金具１１６は、基台１１２の上面に固定された前後に長い長方形状の金属板であり、その表面に複数（入力側及び出力側）の端子ネジ１２０が設けられたものであって、収容溝１１７は、リブ１１３の基台底面側に開口形成された構成を有する。この構成によれば、電線の中継等に使用される、いわゆる中継用端子台において、導電金具の発熱を確実に検出することができる。特に、収容溝１１７が、リブ１１３の基台底面側に開口形成されているので、省スペースで温度検出器としての温度ヒューズ３０を配設することができる。また、収容溝１１７が、角型の温度ヒューズ本体３０ｃの外形に整合する矩形断面を有しているため、空気抵抗を少なくして温度ヒューズ３０を正確に動作させることができる。
【００７３】
また、基台１１２は、収容溝１１７が開口形成されたリブ底面に、温度ヒューズ３０を覆って保護する絶縁性の保護カバー１１４が着脱可能に取り付けられた構成を有する。この構成によれば、収容溝１１７に温度ヒューズ３０を収容した状態を確実に保持できる。また、外部からの衝撃による温度ヒューズ３０の損傷を防止できると共に、埃等の温度検出器への付着を防止することができる。
【００７４】
また、保護カバー１１４は、基台１１２に取り付けた状態で収容溝１１７側へ突出し、収容溝１１７に収容した温度ヒューズ本体３０ｃを押さえ付ける押付片１１４ａを有している。この構成によれば、押付片１１４ａは、収容溝１１７に収容した温度ヒューズ本体３０ｃを押さえ付けて収容溝１１７に収容した状態を確実に保持するので、正確に温度の検出を行うことができる。
【００７５】
また、基台１１２の長手方向端部近傍には、温度ヒューズ３０のリードを通すための切欠き１１５を有している。この構成によれば、切欠き１１５に温度ヒューズ３０のリード３１を通すだけで、外部機器と簡単に電気的な接続を行うことができる。
【符号の説明】
【００７６】
１０、１１０  端子台
１２、１１２  基台
１２ａ  カバー装着部
１３、１１３  リブ
１４、１１４  保護カバー
１４ａ、１１４ａ  押付片
１４ｂ  分離壁
１５、１１５  切欠き
１６、１１６  導電金具
１６ａ  雌ネジ（被係合部）
１７、１１７  収容溝
２０、１２０  端子ネジ
２０ａ  雄ネジ（係合部）
３０  温度ヒューズ
３０ａ  リード
３０ｂ  リード面
３０ｃ  本体
【図１】
0003172681.tif 000003
【図２】
0003172681.tif 000004
【図３】
0003172681.tif 000005
【図４】
0003172681.tif 000006
【図５】
0003172681.tif 000007
【図６】
0003172681.tif 000008
【図７】
0003172681.tif 000009
【図８】
0003172681.tif 000010
【図９】
0003172681.tif 000011
【図１０】
0003172681.tif 000012
【図１１】
0003172681.tif 000013
【図１２】
0003172681.tif 000014
【図１３】
0003172681.tif 000015
【図１４】
0003172681.tif 000016
【図１５】
0003172681.tif 000017